(57)【要約】【課題】      使用する釣糸の太さによる糸巻き状態を設定したい状態に容易に変更できる魚釣用スピニングリ−ルを提供することである。【解決手段】  スプ−ル４の外側は前側鍔部４ａと釣糸巻回胴部４ｂと後側鍔部４ｃと後側スカ−ト部４ｄとで形成されている。  釣糸巻回胴部４ｂの後側鍔部４ｃ側外周には糸巻き状態を補正する補正用枠体５が着脱可能に取り付けられて釣糸巻回胴部４ｂと補正用枠体５の外側に標準使用釣糸より細い使用釣糸２２が巻回されている。  補正用枠体５は合成樹脂材等で後側に向かう傾斜面を有する断面三角形状に形成された２つの半円部５ａ、５ｂがヒンジ部で連結され、半円部５ａに形成された突起が半円部５ｂに形成された凹部に嵌合されることで釣糸巻回胴部４ｂ外周に取り付けられる。【選択図】        図２
2005124489.tif 000002
【特許請求の範囲】
【請求項１】
リ−ル本体の前部にハンドルの回転により前後方向に往復動可能に設けられたスプ−ル軸の前部に、前側鍔部と釣糸巻回胴部と後側スカ−ト部とで形成されたスプ−ルが装着され、ハンドルの回転によって連動回転するロ−タの釣糸案内部を介して前記スプ−ルに釣糸を巻回可能とした魚釣用スピニングリ−ルにおいて、前記釣糸巻回胴部の前側鍔部側又は後側スカ−ト部の何れか一方に糸巻き状態を補正する補正用枠体を着脱可能としたことを特徴とする魚釣用スピニングリ−ル。
【発明の詳細な説明】
【技術分野】
【０００１】
本発明は、ハンドル操作で連動回転するロ−タの釣糸案内部を介してスプ−ルに釣糸を巻回する魚釣用スピニングリ−ルの改良に関する。
【背景技術】
【０００２】
従来魚釣用スピニングリ−ルは、ハンドル回転で前後動するスプ−ルに、ロ−タの釣糸案内部を介してスプ−ルに釣糸を巻回する構成であり、スプ−ルに標準使用釣糸を巻回して良好な標準糸巻き状態となるように設計段階でスプ−ル形状や各種関連部品の寸法等が設定されている。
実釣に際しては、スプ−ルの釣糸巻回胴部に補正用枠体（エコノマイザ−）を装着してスプ−ルに巻回される糸巻き量を調整する方法が知られている。
【特許文献１】実開昭５２−５９８６号公報
【発明の開示】
【発明が解決しようとする課題】
【０００３】
解決しようとする問題点は、前記特許文献１の補正用枠体（エコノマイザ−）は、釣場の状況や釣法等により、スプ−ルに巻回される下巻部分を不要として実際に使用する釣糸をスプ−ルに巻回するための糸巻き量を調節するために多く使用されるものである。
【０００４】
しかしながら、使用釣糸が変更（径の太さの違い）された場合は、ロ−タの釣糸案内部（ロ−ラ）と前後動するスプ−ルとの位置関係が微妙に変化し、スプ−ルに巻回される糸巻き状態が前後方向の一方側に偏った糸巻き状態となって好ましくなく、釣糸の放出操作や巻き取り操作を円滑に行えなくなる。
例えば、本願図８のようにスプ−ル４に標準使用釣糸２１が巻回されて標準糸巻き状態の時は、糸巻きの前後がスプ−ル４の前側鍔部４ａの後ろ側と後側鍔部４ｃの前側まで均等に糸巻きされているが、本願図９のように細い使用釣糸２２の場合は、スプ−ル４の前側鍔部４ａの後ろ側は均等に糸巻きされても、後側鍔部４ｃの前側の糸巻きが急に落ち込んだくぼみαができてβスプ−ル４の前側に偏った糸巻き状態となる。
又、本願図１０のように太い使用釣糸２３の場合は、スプ−ル４の後側鍔部４ｃの前側は均等に糸巻きされても、前側鍔部４ａの後ろ側は落ち込んでくぼみβができて、スプ−ル４の後側に偏った糸巻き状態となる。
【０００５】
本発明の目的は前記欠点に鑑み、使用する釣糸の太さによる糸巻き状態を設定したい状態に容易に変更できる魚釣用スピニングリ−ルを提供することである。
【課題を解決するための手段】
【０００６】
本発明の請求項１は、リ−ル本体の前部にハンドルの回転により前後方向に往復動可能に設けられたスプ−ル軸の前部に、前側鍔部と釣糸巻回胴部と後側スカ−ト部とで形成されたスプ−ルが装着され、ハンドルの回転によって連動回転するロ−タの釣糸案内部を介して前記スプ−ルに釣糸を巻回可能とした魚釣用スピニングリ−ルにおいて、前記釣糸巻回胴部の前側鍔部側又は後側スカ−ト部の何れか一方に糸巻き状態を補正する補正用枠体を着脱可能としたことを要旨とするものである。
【発明の効果】
【０００７】
本発明により、使用釣糸を標準使用釣糸から他の太さの釣糸に変更により、スプ−ルの釣糸巻回胴部に巻回される糸巻き状態が一方側に偏った糸巻き状態になる場合でも、糸巻き状態の補正が必要な部分の釣糸巻回胴部外周に糸巻き状態を補正する補正用枠体が装着されることにより、良好な糸巻き状態に補正して釣糸を巻回することが可能となり、釣糸放出時の不具合現象（不規則な糸解かれによるバックラッシュ現象、釣糸間の抵抗大による放出距離の低下、巻き取り操作の不円滑等）が解消される。
補正用枠体が装着されることにより、糸の太さ、巻き長さに対応した異なる糸巻きが出来ることで携帯するリ−ル台数を減らすことができる。
【発明を実施するための最良の形態】
【０００８】
スプ−ル４には標準使用釣糸２１より細い使用釣糸２２または太い使用釣糸２３が巻回されている。
スプ−ル４の外側は前側鍔部４ａと釣糸巻回胴部４ｂと後側鍔部４ｃと後側スカ−ト部４ｄとで形成されている。
細い使用釣糸２２が巻回される時は、釣糸巻回胴部４ｂの後側鍔部４ｃ側外周には糸巻き状態を補正する補正用枠体５が着脱可能に取り付けられて釣糸巻回胴部４ｂと補正用枠体５の外側に釣糸２２が巻回されている。
補正用枠体５は合成樹脂材等で後側に向かう傾斜面を有する断面三角形状に形成された２つの半円部５ａ、５ｂがヒンジ部５ｃで連結され、半円部５ａに形成された突起５ｄが半円部５ｂに形成された凹部５ｅに嵌合されることで釣糸巻回胴部４ｂ外周に取り付けられる。
【０００９】
太い使用釣糸２３が巻回される時は、釣糸巻回胴部４ｂの前側鍔部４ａ側外周には糸巻き状態を補正する補正用枠体５″が着脱可能に取り付けられて釣糸巻回胴部４ｂと補正用枠体５″の外側に釣糸２３が巻回されている。
補正用枠体５″は合成樹脂材等で前側に向かう傾斜面を有する断面三角形状に形成された２つの半円部５ｈ、５ｉが図示しないヒンジ部で連結され、半円部５ｈに形成された図示しない突起が半円部５ｉに形成された図示しない凹部に嵌合されることで釣糸巻回胴部４ｂ外周に取り付けられる。
【００１０】
前記のように予め使用糸種（糸径）によつて、使用する補正用枠体の種類や取り付け位置等を決めておき、これに基づいて釣糸を事前に巻回しても良いし、釣糸巻回後の糸巻き状態確認後、必要に応じて補正用枠体を選択して巻き直してもよい。
【実施例１】
【００１１】
以下、図示の実施例によって本発明を説明すると、図１から図３は第１実施例で、図１は魚釣用スピニングリ−ルの要部断面側面図、図２はスプ−ルの（ａ）は釣糸巻回前の要部側面図で（ｂ）は釣糸が巻回された要部側面図、図３は補正用枠体のスプ−ル装着前の正面図である。
【００１２】
魚釣用スピニングリ−ルは、リ−ル本体１の前部の回転軸筒２の前端にロ−タ３の中心筒部３ａが回り止め嵌合されてナット１０で取り付けられている。
回転軸筒２の中心透孔には前側にスプ−ル４が取り付けられたスプ−ル軸１１が前後往復動可能に摺動自在に挿入されている。
回転軸筒２の図示しない基端外周に図示しないピニオンが形成されてピニオンに２点鎖線の駆動歯車１２が噛合されている。
ロ−タ３は駆動歯車１２に取り付けられたハンドル１３の回転で駆動歯車１２とピニオンと回転軸筒２を介して回転される。
【００１３】
ロ−タ３は中心筒部３ａで回転軸筒２に取り付けられ、筒部３ａと連結部３ｂと大径の筒部３ｃと大径の筒部３ｃの基部の外周から前方に向けて突出された一対の支持ア−ム３ｄ、３ｅとで形成されて支持ア−ム３ｄの前部に一方のベ−ル支持部材１４がビス１５で止められ、支持ア−ム３ｅの前部に他方のベ−ル支持部材１６がビス１７で止められて図１の釣糸巻取位置と図示しない釣糸放出位置に反転自在に軸承されている。
一方のベ−ル支持部材１４にはベ−ル取付部１８とロ−ラからなる釣糸案内部１９が取り付けられている。
他方のベ−ル支持部材１６とベ−ル取付部１８の間にベ−ル２０が取り付けられている。
【００１４】
スプ−ル４には標準使用釣糸２１より細い使用釣糸２２が巻回されている。
スプ−ル４の外側は前側鍔部４ａと釣糸２２が巻回される釣糸巻回胴部４ｂと後側鍔部４ｃと後側スカ−ト部４ｄとで形成されている。
釣糸巻回胴部４ｂの後側鍔部４ｃ側外周には糸巻き状態を補正する補正用枠体５が着脱可能に取り付けられて釣糸巻回胴部４ｂと補正用枠体５の外側に釣糸２２が巻回されている。
補正用枠体５は合成樹脂材等で後側に向かう傾斜面を有する断面三角形状に形成された２つの半円部５ａ、５ｂがヒンジ部５ｃで連結され、半円部５ａに形成された突起５ｄが半円部５ｂに形成された凹部５ｅに嵌合されることで釣糸巻回胴部４ｂ外周に取り付けられる。
【００１５】
魚釣用スピニングリ−ルの動作は、釣糸２２がスプ−ル４に巻回される方向にハンドル１３が回転されると、駆動歯車１２と図示しないピニオンと回転軸筒２を介してロ−タ３が正回転される。
釣糸２２がスプ−ル４に巻回される時は、一方のベ−ル支持部材１４に設けられたロ−ラからなる釣糸案内部１９で釣糸２２が案内されて前後に往復動されるスプ−ル４に平行に巻回される。
【００１６】
釣糸２２の先に取り付けられた仕掛が投擲されるときは、スプ−ル４と釣糸案内部１９の間の釣糸２２に指が掛けられてベ−ル２０が起こされて一方のベ−ル支持部材１４と他方のベ−ル支持部材１６が釣糸放出位置に反転されると共に釣糸案内部１９がリ−ル本体１の脚部側の上方に引き上げられ、投擲される。
一方のベ−ル支持部材１４と他方のベ−ル支持部材１６が釣糸放出位置から釣糸巻取位置に反転される時は、ハンドル１３が回転されてロ−タ３が時計方向に正回転されると、脚部側に設けられた衝接部に一方のベ−ル支持部材１４が衝接されて釣糸巻取位置に反転復帰される。
【００１７】
スプ−ル４の釣糸巻回胴部４ｂに巻回されている使用釣糸を標準使用釣糸２１から細い釣糸２２に変更すると、釣糸案内部１９を介してスプ−ル４に案内される釣糸２２の案内位置が微妙に前側に偏位し、図８の均等に巻回された糸巻き状態から図９の前方向の一方側に偏った糸巻き状態となって好ましくなく、釣糸の放出操作や巻き取り操作を円滑に行えなくなるので、一旦巻回した細い釣糸２２を巻きほどき、スプ−ル４の釣糸巻回胴部４ｂの後側鍔部４ｃ側外周に、糸巻き状態を補正する補正用枠体５が取り付けられて、釣糸巻回胴部４ｂと補正用枠体５の外側に釣糸２２が巻回される。
【００１８】
又は、予め使用釣糸を標準使用釣糸２１から細い釣糸２２に変更すると、前方向の一方側に偏った糸巻き状態となることを予測して補正用枠体５が取り付けられて釣糸巻回胴部４ｂと補正用枠体５の外側に釣糸２２が巻回される。
スプ−ル４の釣糸巻回胴部４ｂの後側鍔部４ｃ側外周に糸巻き状態を補正する補正用枠体５が取り付けられて釣糸巻回胴部４ｂと補正用枠体５の外側に釣糸２２が巻回されていると、糸巻き状態は図８のスプ−ル４に標準使用釣糸２１が巻回されて標準糸巻き状態の時と同様に、図１、図２のように糸巻きの前後がスプ−ル４の前側鍔部４ａの後ろ側と後側鍔部４ｃの前側まで均等に糸巻きされる。
【００１９】
前記のように魚釣用スピニングリ−ルが構成されると、使用釣糸を標準使用釣糸２１から細い釣糸２２に変更により、スプ−ル４の釣糸巻回胴部４ｂに巻回される糸巻き状態が一方側に偏った糸巻き状態になる場合でも、糸巻き状態の補正が必要な部分の釣糸巻回胴部４ｂの後側鍔部４ｃ側外周に糸巻き状態を補正する補正用枠体５が装着されることにより、良好な糸巻き状態に補正して釣糸を巻回することが可能となり、釣糸放出時の不具合現象（不規則な糸解かれによるバックラッシュ現象、釣糸間の抵抗大による放出距離の低下、巻き取り操作の不円滑等）が解消される。
【実施例２】
【００２０】
図４、図５は第２実施例で、図４はスプ−ルに補正用枠体が装着された要部側面図、図５は補正用枠体が装着されたスプ−ルに釣糸が巻回された要部側面図である。
【００２１】
第２実施例では、スプ−ル４に標準使用釣糸２１より細い使用釣糸２２が巻回されている。
スプ−ル４の外側は前側鍔部４ａと釣糸２２が巻回される釣糸巻回胴部４ｂと後側鍔部４ｃと後側スカ−ト部４ｄとで形成されている。
釣糸巻回胴部４ｂの後側鍔部４ｃ側外周の一側と後側鍔部４ｃの内側面には糸巻き状態を補正する補正用枠体５′が着脱可能に取り付けられて、釣糸巻回胴部４ｂと補正用枠体５′の外側に釣糸２２が巻回されている。
補正用枠体５′は合成樹脂材等で断面四辺形状に形成された２つの半円部５ｆ、５ｇが図示しないヒンジ部で連結され、半円部５ｆに形成された図示しない突起が半円部５ｇに形成された図示しない凹部に嵌合されることで釣糸巻回胴部４ｂ外周に取り付けられる。
他の構成は前記第１実施例と略同一である。
【００２２】
第２実施例のように釣糸巻回胴部４ｂの長さを補正用枠体５′によって短くすることで糸巻きの前後がスプ−ル４の前側鍔部４ａの後ろ側と後側鍔部４ｃの前側まで均等に糸巻きされる。
この補正用枠体５′を異なるリ−ルのスプ−ルを転用して使用する時、釣糸巻回胴部４ｂの長さの補正に使用してもよい。
【実施例３】
【００２３】
図６、図７は第３実施例で、図６はスプ−ルに補正用枠体が装着された要部側面図、図７は補正用枠体が装着されたスプ−ルに釣糸が巻回された要部側面図である。
【００２４】
第３実施例では、スプ−ル４に標準使用釣糸２１より太い使用釣糸２３が巻回されている。
スプ−ル４の外側は前側鍔部４ａと釣糸２３が巻回される釣糸巻回胴部４ｂと後側鍔部４ｃと後側スカ−ト部４ｄとで形成されている。
釣糸巻回胴部４ｂの前側鍔部４ａ側外周には糸巻き状態を補正する補正用枠体５″が着脱可能に取り付けられて釣糸巻回胴部４ｂと補正用枠体５″の外側に釣糸２３が巻回されている。
補正用枠体５″は合成樹脂材等で前側に向かう傾斜面を有する断面三角形状に形成された２つの半円部５ｈ、５ｉが図示しないヒンジ部で連結され、半円部５ｈに形成された図示しない突起が半円部５ｉに形成された図示しない凹部に嵌合されることで釣糸巻回胴部４ｂ外周に取り付けられる。
他の構成は前記第１実施例と略同一である。
【００２５】
第３実施例では、スプ−ル４の釣糸巻回胴部４ｂに巻回されている使用釣糸を標準使用釣糸２１から太い釣糸２３に変更すると、釣糸案内部１９を介してスプ−ル４に案内される釣糸２３の案内位置が微妙に後側に偏位し、図８の均等に巻回された糸巻き状態から図１０の後方向の一方側に偏った糸巻き状態となって好ましくなく、釣糸の放出操作や巻き取り操作を円滑に行えなくなるので、一旦巻回した太い釣糸２３を巻きほどき、スプ−ル４の釣糸巻回胴部４ｂの前側鍔部４ａ側外周に糸巻き状態を補正する補正用枠体５″が取り付けられて釣糸巻回胴部４ｂと補正用枠体５″の外側に釣糸２３が巻回される。
【００２６】
又は、予め使用釣糸を標準使用釣糸２１から太い釣糸２３に変更すると、後方向の一方側に偏った糸巻き状態となることを予測して補正用枠体５″が取り付けられて釣糸巻回胴部４ｂと補正用枠体５″の外側に釣糸２３が巻回される。
スプ−ル４の釣糸巻回胴部４ｂの前側鍔部４ａ側外周に糸巻き状態を補正する補正用枠体５″が取り付けられて釣糸巻回胴部４ｂと補正用枠体５″の外側に釣糸２３が巻回されていると、糸巻き状態は図８のスプ−ル４に標準使用釣糸２１が巻回されて標準糸巻き状態の時と同様に、図７のように糸巻きの前後がスプ−ル４の前側鍔部４ａの後ろ側と後側鍔部４ｃの前側まで均等に糸巻きされる。
【００２７】
第３実施例のように使用釣糸を標準使用釣糸２１から太い釣糸２３に変更により、スプ−ル４の釣糸巻回胴部４ｂに巻回される糸巻き状態が一方側に偏った糸巻き状態になる場合でも、糸巻き状態の補正が必要な部分の釣糸巻回胴部４ｂの前側鍔部４ａ側外周に糸巻き状態を補正する補正用枠体５″が装着されることにより、良好な糸巻き状態に補正して釣糸を巻回することが可能となり、釣糸放出時の不具合現象（不規則な糸解かれによるバックラッシュ現象、釣糸間の抵抗大による放出距離の低下、巻き取り操作の不円滑等）が解消される。
【図面の簡単な説明】
【００２８】
【図１】第１実施例で、魚釣用スピニングリ−ルの要部断面側面図である。
【図２】同スプ−ルの（ａ）は釣糸巻回前の要部側面図で（ｂ）は釣糸が巻回された要部側面図である。
【図３】同補正用枠体のスプ−ル装着前の正面図である。
【図４】第２実施例で、スプ−ルに補正用枠体が装着された要部側面図である。
【図５】同補正用枠体が装着されたスプ−ルに釣糸が巻回された要部側面図である。
【図６】第３実施例で、スプ−ルに補正用枠体が装着された要部側面図である。
【図７】同補正用枠体が装着されたスプ−ルに釣糸が巻回された要部側面図である。
【図８】標準使用釣糸が巻回されたスプ−ルの要部側面図である。
【図９】細い使用釣糸が巻回されたスプ−ルの要部側面図である。
【図１０】太い使用釣糸が巻回されたスプ−ルの要部側面図である。
【符号の説明】
【００２９】
１  リ−ル本体
３  ロ−タ
４  スプ−ル
４ａ  前側鍔部
４ｂ  釣糸巻回胴部
４ｃ  後側鍔部
４ｄ  後側スカ−ト部
５、５′、５″  補正用枠体
１１  スプ−ル軸
１３  ハンドル
１９  ロ−ラからなる釣糸案内部
２１、２２、２３  釣糸
【図１】
2005124489.tif 000003
【図２】
2005124489.tif 000004
【図３】
2005124489.tif 000005
【図４】
2005124489.tif 000006
【図５】
2005124489.tif 000007
【図６】
2005124489.tif 000008
【図７】
2005124489.tif 000009
【図８】
2005124489.tif 000010
【図９】
2005124489.tif 000011
【図１０】
2005124489.tif 000012